(57)【要約】【課題】バックアップ装置の稼働率を向上させることができる熱媒体供給制御装置、熱媒体供給制御システム、熱媒体供給制御方法及びコンピュータプログラムを提供することである。【解決手段】実施形態の制御装置は、制御部を持つ。制御部は、熱量が加えられる熱媒体を供給する熱源機器の故障時に前記熱源機器に代わって前記熱媒体を供給するバックアップ装置として用いられるヒートポンプを制御する。さらに、制御部は、需要家から冷却される熱媒体の要求がなされると、前記需要家への前記熱媒体の供給源を前記熱源機器から前記ヒートポンプに切り替える。【選択図】図５
2016109375.tif 000002
【特許請求の範囲】
【請求項１】
熱量が加えられる熱媒体を供給する熱源機器の故障時に前記熱源機器に代わって前記熱媒体を供給するバックアップ装置として用いられるヒートポンプを制御する制御部を備え、
前記制御部は、需要家から冷却される熱媒体の要求がなされると、前記需要家への前記熱媒体の供給源を前記熱源機器から前記ヒートポンプに切り替える熱媒体供給制御装置。
【請求項２】
前記制御部は、前記熱媒体が前記熱源機器に流れる経路に設けられる前記熱媒体の供給を遮断する遮断弁を閉止して、前記熱媒体が前記ヒートポンプに流れる経路に設けられる遮断弁を開放することによって前記需要家への供給源を前記熱源機器から前記ヒートポンプに切り替える、請求項１に記載の熱媒体供給制御装置。
【請求項３】
熱量が加えられる熱媒体を供給する熱源機器の故障時に前記熱源機器に代わって前記熱媒体を供給するバックアップ装置として用いられるヒートポンプと、
需要家から冷却される熱媒体の要求がなされると、前記需要家への前記熱媒体の供給源を前記熱源機器から前記ヒートポンプに切り替える制御部を備える制御装置と、
を備える熱媒体供給制御システム。
【請求項４】
熱量が加えられる熱媒体を供給する熱源機器の故障時に前記熱源機器に代わって前記熱媒体を供給するバックアップ装置として用いられるヒートポンプを制御する制御ステップを有し、
前記制御ステップにおいて、需要家から冷却される熱媒体の要求がなされると、前記需要家への前記熱媒体の供給源を前記熱源機器から前記ヒートポンプに切り替える熱媒体供給制御方法。
【請求項５】
熱量が加えられる熱媒体を供給する熱源機器の故障時に前記熱源機器に代わって前記熱媒体を供給するバックアップ装置として用いられるヒートポンプを制御する制御ステップをコンピュータに実行させ、
前記制御ステップにおいて、需要家から冷却される熱媒体の要求がなされると、前記需要家への前記熱媒体の供給源を前記熱源機器から前記ヒートポンプに切り替えるためのコンピュータプログラム。
【発明の詳細な説明】
【技術分野】
【０００１】
本発明の実施形態は、熱媒体供給制御装置、熱媒体供給制御システム、熱媒体供給制御方法及びコンピュータプログラムに関する。
【背景技術】
【０００２】
従来、バイオマスボイラーによる熱供給設備において、バイオマスボイラーの故障時にバイオマスボイラーに代わって熱媒体を供給する装置（以下、「バックアップ装置」という。）として化石燃料ボイラーが使用されていた。バイオマスボイラーが故障していない場合には、環境への影響などを鑑みてバイオマスボイラーのみが使用される。そのため、バックアップ装置の稼働率が著しく低くなってしまう可能性があった。
【先行技術文献】
【特許文献】
【０００３】
【特許文献１】特開２０１１−１４５０４１号公報
【発明の概要】
【発明が解決しようとする課題】
【０００４】
本発明が解決しようとする課題は、バックアップ装置の稼働率を向上させることができる熱媒体供給制御装置、熱媒体供給制御システム、熱媒体供給制御方法及びコンピュータプログラムを提供することである。
【課題を解決するための手段】
【０００５】
実施形態の制御装置は、制御部を持つ。制御部は、熱量が加えられる熱媒体を供給する熱源機器の故障時に前記熱源機器に代わって前記熱媒体を供給するバックアップ装置として用いられるヒートポンプを制御する。さらに、制御部は、需要家から冷却される熱媒体の要求がなされると、前記需要家への前記熱媒体の供給源を前記熱源機器から前記ヒートポンプに切り替える。
【図面の簡単な説明】
【０００６】
【図１】実施形態における熱媒体供給制御システム１００のシステム構成を表すシステム構成図。
【図２】冬期平常時における動作パターンを説明するための図。
【図３】夏期及び冬期非常時における動作パターンを説明するための図。
【図４】夏期平常時における動作パターンを説明するための図。
【図５】実施形態にかかる熱媒体供給制御装置３０の構成を表す概略ブロック図。
【図６】熱媒体供給制御装置３０が行う制御処理のフローチャート。
【図７】従来におけるシステムと、本実施形態におけるシステムとの比較結果を表す図。
【図８】変形例における熱媒体供給制御システム１００の動作パターンを説明するためのシステム構成図。
【図９】変形例における熱媒体供給制御システム１００の動作パターンを説明するためのシステム構成図。
【発明を実施するための形態】
【０００７】
以下、実施形態の熱媒体供給制御装置、熱媒体供給制御システム、熱媒体供給制御方法及びコンピュータプログラムを、図面を参照して説明する。
図１は、実施形態における熱媒体供給制御システム１００のシステム構成を表すシステム構成図である。図１における実線は熱媒体が循環する経路を表し、破線はデータのやり取りを示すデータ線を表す。
熱媒体供給制御システム１００は、熱源機器１０、ヒートポンプ２０、熱媒体供給制御装置３０及び遮断弁５０−１〜５０−６を備える。実施形態における熱媒体供給制御システム１００では、需要家４０からの要求に応じて熱源機器１０又はヒートポンプ２０のいずれかの装置から熱供給を行う。以下の説明では、熱源機器１０に異常（例えば、故障など）が発生していない状態を平常時として説明し、熱源機器１０に異常が発生している状態を非常時として説明する。なお、以下の説明では、遮断弁５０−１〜５０−６において特に区別しない場合には遮断弁５０と記載する。
【０００８】
熱源機器１０は、再生可能エネルギーを用いて熱媒体に一定の熱量を加え、一定の熱量が加えられる熱媒体（以下、「供給媒体」という。）を供給する。熱源機器１０は、例えば木質バイオマスボイラー、温泉熱源熱交換器などである。ここで、再生可能エネルギーとは、半永久的に使用可能な資源であり、例えば木質チップ、地中熱、太陽熱及び工場廃熱などである。熱媒体は、例えば水、不凍液、蒸気及び空気などである。供給媒体は、熱媒体が水又は不凍液である場合には温水であり、熱媒体が蒸気又は空気である場合には温風である。熱源機器１０は、一定の出力で一定の流量の供給媒体を供給する。また、熱源機器１０は、自装置に異常が発生した場合に、異常が発生した旨の通知（以下、「異常通知」という。）を熱媒体供給制御装置３０に送信する。
【０００９】
ヒートポンプ２０は、例えばエア・コンディショナーや冷蔵庫などの熱源機器である。そのため、ヒートポンプ２０は、供給媒体の供給（以下、「温熱供給」という。）及び冷却される熱媒体（以下、「冷却媒体」という。）の供給（以下、「冷却供給」という。）が可能である。冷却媒体は、熱媒体が水又は不凍液である場合には冷水であり、熱媒体が蒸気又は空気である場合には冷風である。ヒートポンプ２０は、バックアップ装置として使用される装置である。ただし、ヒートポンプ２０は、平常時又は非常時どちらの場合にも使用可能な装置である。例えば、非常時の場合には、ヒートポンプ２０は、熱源機器１０に代わり需要家４０に熱供給を行う。また、例えば、平常時の場合には、ヒートポンプ２０は、需要家４０の要求に応じて冷却供給を行う場合に使用される。
【００１０】
ヒートポンプ２０の温熱供給又は冷却供給は、熱媒体供給制御装置３０の制御によって行われる。例えば、ヒートポンプ２０は、熱媒体供給制御装置３０から温熱供給する旨の制御指示がなされると、自装置の動作モードを暖房に切り替えて温熱供給を行う。一方、ヒートポンプ２０は、熱媒体供給制御装置３０から冷却供給する旨の制御指示がなされると、自装置の動作モードを冷房に切り替えて冷却供給を行う。
【００１１】
熱媒体供給制御装置３０は、遮断弁５０の開閉を制御することによって熱源機器１０又はヒートポンプ２０のいずれかに対して熱媒体を与え、需要家４０に対して熱供給を行う。
遮断弁５０は、熱源機器１０又はヒートポンプ２０のいずれかに対する熱媒体の供給及び熱源機器１０又はヒートポンプ２０のいずれかからの熱供給を遮断可能な弁である。遮断弁５０は、熱媒体供給制御装置３０の制御に応じて開閉される。以下の説明では、遮断弁５０−１、５０−３及び５０−５を熱源機器１０に対応する遮断弁として説明し、遮断弁５０−２、５０−４及び５０−６をヒートポンプ２０に対応する遮断弁として説明する。
【００１２】
次に、図２〜図４を用いて実施形態における熱媒体供給制御システム１００の動作パターンについて説明する。図２〜図４は、実施形態における熱媒体供給制御システム１００の動作パターンを説明するためのシステム構成図である。なお、図２〜図４において、黒塗りの遮断弁５０は遮断弁５０が開放されていることを表し、その他の遮断弁５０は遮断弁５０が閉止されていることを表す。
図２は、冬期平常時における動作パターンを説明するための図である。
熱媒体供給制御システム１００において、平常時には通常、熱源機器１０が使用され、ヒートポンプ２０が使用されない。したがって、熱媒体供給制御装置３０は、熱源機器１０に対応する遮断弁（遮断弁５０−１、５０−３及び５０−５）を開放することによって熱源機器１０から需要家４０に対して熱供給を行う。例えば、熱媒体は、太線で示される経路を循環して熱源機器１０から需要家４０に供給される。なお、ヒートポンプ２０に対応する遮断弁（遮断弁５０−２、遮断弁５０−４及び５０−６）が閉止されているため、ヒートポンプ２０には熱媒体が供給されない。
【００１３】
図３は、夏期及び冬期非常時における動作パターンを説明するための図である。なお、図３では、ヒートポンプ２０が温熱供給を行う場合を例に説明する。
熱媒体供給制御システム１００において、非常時にはヒートポンプ２０が使用され、熱源機器１０が使用されない。例えば、熱源機器１０は、自装置に異常が発生した場合、熱媒体供給制御装置３０に対して異常通知を送信する。熱媒体供給制御装置３０は、異常通知を受信すると熱媒体の供給源を熱源機器１０からヒートポンプ２０に変更する。具体的には、熱媒体供給制御装置３０は、開放している熱源機器１０に対応する遮断弁５０を閉止し、閉止しているヒートポンプ２０に対応する遮断弁５０を開放することによってヒートポンプ２０から需要家４０に対して熱供給を行う。例えば、熱媒体は、太線で示される経路を循環してヒートポンプ２０から需要家４０に供給される。
【００１４】
さらに、需要家４０の要求に応じてヒートポンプ２０に温熱供給を行わせる場合には、熱媒体供給制御装置３０はヒートポンプ２０に温熱供給を行う旨を指示する。ヒートポンプ２０は、熱媒体供給制御装置３０の制御指示に応じて動作モードを暖房にする。これにより、需要家４０に対して温熱供給が可能になる。なお、熱源機器１０に対応する遮断弁５０が閉止されているため、熱源機器１０には熱媒体が供給されない。
【００１５】
図４は、夏期平常時における動作パターンを説明するための図である。なお、図４では、冷却供給がなされた場合について説明する。
熱媒体供給制御システム１００において、平常時には通常、熱源機器１０が使用され、ヒートポンプ２０が使用されない。しかし、需要家４０から冷却供給の要求がなされているため、熱媒体供給制御装置３０は供給源を熱源機器１０からヒートポンプ２０に切り替える。例えば、熱源機器１０に対応する遮断弁５０を閉止してヒートポンプ２０に対応する遮断弁５０を開放することによって供給源を熱源機器１０からヒートポンプ２０に切り替える。その後、需要家４０の要求に応じてヒートポンプ２０に冷却供給を行わせるため、熱媒体供給制御装置３０はヒートポンプ２０に冷却供給を行う旨を指示する。ヒートポンプ２０は、熱媒体供給制御装置３０の制御指示に応じて動作モードを冷房にする。これにより、需要家４０に対して冷却供給が可能になる。なお、熱源機器１０に対応する遮断弁５０が閉止されているため、熱源機器１０には熱媒体が供給されない。
以上で、実施形態における熱媒体供給制御システム１００の動作パターンについての説明を終了する。
【００１６】
図５は、実施形態にかかる熱媒体供給制御装置３０の構成を表す概略ブロック図である。
熱媒体供給制御装置３０は、バスで接続されたＣＰＵ（Central Processing Unit）やメモリや補助記憶装置などを備え、制御プログラムを実行する。制御プログラムの実行によって、熱媒体供給制御装置３０は、指示入力部３０１、制御部３０２を備える装置として機能する。なお、熱媒体供給制御装置３０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。また、制御プログラムは、コンピュータ読み取り可能な記録媒体に記録されてもよい。コンピュータ読み取り可能な記録媒体とは、例えばフレキシブルディスク、光磁気ディスク、ＲＯＭ(Read Only Memory)、ＣＤ−ＲＯＭ等の可搬媒体、コンピュータシステムに内蔵されるハードディスク等の記憶装置である。また、制御プログラムは、電気通信回線を介して送受信されてもよい。
【００１７】
指示入力部３０１は、タッチパネル、ボタン、キーボード、ポインティングデバイス（マウス、タブレット等）等の既存の入力装置を用いて構成される。指示入力部３０１は、ユーザの指示を熱媒体供給制御装置３０に入力する際にユーザによって操作される。例えば、指示入力部３０１は、需要家４０の要求に対する指示内容の入力を受け付ける。また、指示入力部３０１は、入力装置を熱媒体供給制御装置３０に接続するためのインタフェースであってもよい。この場合、指示入力部３０１は、入力装置においてユーザの入力に応じて生成された入力信号を熱媒体供給制御装置３０に入力する。
【００１８】
制御部３０２は、熱源機器１０及びヒートポンプ２０の稼働を制御する。制御部３０２は、機器制御部３０２１及び弁制御部３０２２から構成される。
機器制御部３０２１は、ヒートポンプ２０に対して温熱供給を行う旨の指示や冷却供給を行う旨の指示を行うことによってヒートポンプ２０を制御する。
弁制御部３０２２は、遮断弁５０の開閉を制御する。例えば、弁制御部３０２２は、熱源機器１０から異常通知を受信すると、遮断弁５０の開閉を制御して熱媒体の供給源を熱源機器１０からヒートポンプ２０に切り替える。なお、異常通知を取得するのは弁制御部３０２２である。また、弁制御部３０２２は、需要家４０の要求に対する指示内容が冷却供給である場合には、平常時であっても熱媒体の供給源を熱源機器１０からヒートポンプ２０に切り替える。
【００１９】
図６は、熱媒体供給制御装置３０が行う制御処理のフローチャートである。なお、図６の処理開始時には平常時である場合を例に説明する。つまり、図６の処理開始時には熱媒体の供給源が熱源機器１０である場合を説明する。なお、遮断弁５０−１、５０−３及び５０−５が開放されており、遮断弁５０−２、５０−４及び５０−６が閉止されているものとする。
【００２０】
機器制御部３０２１は、指示入力部３０１を介してユーザから指示が入力された否か判定する（ステップＳ１０１）。指示が入力されている場合（ステップ１０１−ＹＥＳ）、機器制御部３０２１は入力された指示が冷却供給の指示であるか否か判定する（ステップＳ１０２）。入力された指示が冷却供給の指示である場合（ステップＳ１０２−ＹＥＳ）、弁制御部３０２２は遮断弁５０の開閉を制御して供給媒体の供給源を切り替える（ステップＳ１０２）。具体的には、弁制御部３０２２は、熱源機器１０に対応する遮断弁５０を閉止してヒートポンプ２０に対応する遮断弁５０を開放することによって供給媒体の供給源を熱源機器１０からヒートポンプ２０に切り替える。その後、機器制御部３０２１は、ヒートポンプ２０に対して冷却供給を行う旨を指示する（ステップＳ１０４）。その後、熱媒体供給制御装置３０は処理を終了する。
【００２１】
また、ステップＳ１０２の処理において入力された指示が冷却供給の指示ではない場合（ステップＳ１０２−ＮＯ）、機器制御部３０２１又は弁制御部３０２２は指示に応じた制御を行う（ステップＳ１０５）。
ステップＳ１０５の処理後、又は、ステップＳ１０１の処理において指示が入力されていない場合（ステップ１０１−ＮＯ）、弁制御部３０２２は、熱源機器１０から異常通知を受信したか否か判定する（ステップＳ１０６）。異常通知を受信していない場合（ステップＳ１０６−ＮＯ）、熱媒体供給制御装置３０は処理を終了する。
一方、異常通知を受信した場合（ステップＳ１０６−ＹＥＳ）、熱媒体供給制御装置３０はステップＳ１０３以降の処理を実行する。
【００２２】
以上のように構成された熱媒体供給制御装置３０によれば、バックアップ装置の稼働率を向上させることができる。具体的には、以下の通りである。図７を用いて、具体的に説明する。図７は、従来におけるシステムと、本実施形態におけるシステム（熱媒体供給制御システム１００）との比較結果を表す図である。従来のシステムでは、バックアップ装置として化石燃料ボイラーを用いているため冷却供給ができない。それに対して、本実施形態における熱媒体供給制御システム１００では、バックアップ装置としてヒートポンプ２０を用いているため冷却供給ができる。さらに、ヒートポンプ２０は、バックアップ装置ではあるが冷却供給の機能を有しているため、冷却供給が必要な場合に使用される。このように、従来ではバックアップ装置が非常時にしか使用されなかったのに対し、本実施形態における熱媒体供給制御システム１００ではバックアップ装置であるヒートポンプ２０が平常時及び非常時に使用されることがある。そのため、バックアップ装置の稼働率を向上させることが可能になる。
【００２３】
さらに、ヒートポンプ２０は、化石燃料を使用せず、熱エネルギーを得て使用する装置である。したがって、ヒートポンプ２０の稼働時に二酸化炭素が排出されない。そのため、従来のシステムに比べて環境に与える影響を軽減することができる。
また、従来のシステムでは、バックアップ装置として化石燃料を使用する化石燃料ボイラーが用いられ、化石燃料として灯油や重油などが使用される。そのため、バックアップ装置の手入れに非常に手間が生じてしまう。それに対して、本実施形態における熱媒体供給制御システム１００では、バックアップ装置として化石燃料を使用しないヒートポンプ２０が用いられるため、従来のシステムより手入れが容易である。そのため、利便性を向上させることも可能である。
【００２４】
以下、実施形態の変形例について説明する。
非常時において、熱源機器１０の異常がなくなった場合（故障であれば故障が直った場合）に熱源機器１０が正常に稼働できる旨の通知（以下、「稼働通知」という。）を熱媒体供給制御装置３０に送信し、熱媒体供給制御装置３０が稼働通知を受信した場合に熱媒体の供給源をヒートポンプ２０から熱源機器１０に切り替えるように構成されてもよい。
このように構成されることによって、自動的に平常時に使用する熱源機器１０に熱媒体の供給源を切り替えることができる。
【００２５】
また、熱媒体供給制御システム１００は、以下の図８及び図９のように構成されてもよい。図８及び図９は、変形例における熱媒体供給制御システム１００の動作パターンを説明するためのシステム構成図である。図８及び図９における実線は熱媒体が循環する経路を表し、破線はデータのやり取りを示すデータ線を表す。
変形例における熱媒体供給制御システム１００は、熱源機器１０、ヒートポンプ２０、熱媒体供給制御装置３０、吸収式冷凍機６０、熱交換器７０及び遮断弁８０−１〜８０−１０を備える。熱源機器１０及びヒートポンプ２０は、実施形態における熱源機器１０及びヒートポンプ２０と同様の処理を行う。なお、以下の説明では、遮断弁８０−１〜８０−１０において特に区別しない場合には遮断弁８０と記載する。
【００２６】
熱媒体供給制御装置３０は、遮断弁８０の開閉を制御することによって需要家４０の要求に応じた熱供給を行う。
吸収式冷凍機６０は、吸収力の高い液体に冷媒を吸収させて発生する低圧によって、別の位置の冷媒を気化させて低温を得る冷凍機である。
【００２７】
熱交換器７０は、熱エネルギーの異なる２つの媒体間で熱エネルギーを交換する機器である。
遮断弁８０は、熱源機器１０、ヒートポンプ２０、吸収式冷凍機６０及び熱交換器７０のいずれかに対する熱媒体の供給及び熱源機器１０、ヒートポンプ２０、吸収式冷凍機６０及び熱交換器７０のいずれかからの熱供給を遮断可能な弁である。遮断弁８０は、熱媒体供給制御装置３０の制御に応じて開閉される。
【００２８】
次に、図８及び図９を用いて変形例における熱媒体供給制御システム１００の動作パターンについて説明する。まず、図８を用いて説明する。なお、図８の説明では、ヒートポンプ２０は、動作モードとして冷房で動作している。また、図８の説明では、需要家４０から冷却供給がなされている場合を例に説明する。
【００２９】
需要家４０から冷却供給の要求がなされている場合、熱媒体供給制御装置３０は図８に示すように遮断弁８０−１、８０−４、８０−６、８０−８及び８０−１０を開放し、遮断弁８０−２、８０−３、８０−５、８０−７及び８０−９を閉止する。これにより、熱源機器１０から供給される供給媒体が吸収式冷凍機６０に流れ込む。吸収式冷凍機６０は、熱源機器１０から供給された供給媒体を熱源として利用することで冷却媒体を供給する。そして、吸収式冷凍機６０から供給された冷却媒体がヒートポンプ２０に流れ込み、ヒートポンプ２０から需要家４０に冷却供給が行われる。例えば、熱媒体は、太線で示される経路を循環して需要家４０に供給される。なお、遮断弁８０−５が閉止されているため、熱源機器１０から供給される供給媒体が熱交換器７０に流れ込まない。なお、図８では、ヒートポンプ２０を介して冷却媒体を需要家４０に供給する場合を示したが、吸収式冷凍機６０から供給された冷却媒体をそのまま需要家４０に供給するように構成されてもよい。このように構成される場合、熱媒体供給制御装置３０は遮断弁８０−８及び８０−１０を閉止し、遮断弁８０−９を開放する。
このように構成されることによって、ヒートポンプ２０を利用しなくても需要家４０に冷却媒体を供給することが可能になる。
【００３０】
次に、図９を用いて説明する。なお、図９の説明では、需要家４０から温熱供給がなされている場合を例に説明する。
需要家４０から温熱供給の要求がなされている場合、熱媒体供給制御装置３０は図９に示すように遮断弁８０−２、８０−５、８０−７及び８０−９を開放し、遮断弁８０−１、８０−３、８０−４、８０−６、８０−８及び８０−１０を閉止する。これにより、熱源機器１０から供給される供給媒体が熱交換器７０に流れ込む。熱交換器７０は、熱源機器１０から供給された供給媒体の熱エネルギーと、需要家４０に供給されている媒体の熱エネルギーとの移動・交換を行うことによって需要家４０に温熱供給を行う。例えば、熱媒体は、太線で示される経路を循環して需要家４０に供給される。なお、遮断弁８０−４が閉止されているため、熱源機器１０から供給される供給媒体が吸収式冷凍機６０に流れ込まない。
以上で、変形例における熱媒体供給制御システム１００の動作パターンについての説明を終了する。
【００３１】
以上説明した少なくともひとつの実施形態によれば、熱量が加えられる熱媒体を供給する熱源機器の故障時に熱源機器に代わって熱媒体を供給するバックアップ装置として用いられるヒートポンプを制御する制御部を持ち、需要家から冷却される熱媒体の要求がなされると、需要家への熱媒体の供給源を熱源機器からヒートポンプに切り替えることにより、バックアップ装置の稼働率を向上させることができる。
【００３２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３３】
１０…熱源機器，２０…ヒートポンプ，３０…制御装置，５０（５０−１〜５０−６）、８０（８０−１〜８０−１０）…遮断弁，６０…吸収式冷凍機，７０…熱交換器，３０１…指示入力部，３０２…制御部，３０２１…機器制御部，３０２２…弁制御部
【図１】
2016109375.tif 000003
【図２】
2016109375.tif 000004
【図３】
2016109375.tif 000005
【図４】
2016109375.tif 000006
【図５】
2016109375.tif 000007
【図６】
2016109375.tif 000008
【図７】
2016109375.tif 000009
【図８】
2016109375.tif 000010
【図９】
2016109375.tif 000011